(57)【特許請求の範囲】
【請求項１】
遊技に関連した機器を収納する筐体本体と、
前記筐体本体の前面に開閉可能に取り付けられた扉体と、
前記扉体を前記筐体本体に施錠する施錠装置と、
を備えた遊技台であって、
前記筐体本体は、
前記施錠装置の施錠を解除する作業を行うためのドライバー器具が挿通可能な貫通孔を備え、
前記施錠装置は、
挿入された鍵の回転に対応してシリンダ錠の先端にネジ部材で固定されたカム部材を回転させ、回転させたカム部材に連動して、動作する鉤部材を、前記筐体本体に取り付けられた受け金具に係止して前記扉体を施錠し、かつ、鍵が挿入されていない状態においては、前記カム部材の回転を不可とするとともに、連動関係にある前記鉤部材の動作も不可として、施錠を解除できない構成を有し、
前記施錠装置の施錠を解除する作業とは、
前記ネジ部材を取り外して前記カム部材の回転と、前記鉤部材の動作の連動を遮断する作業であり、
前記貫通孔は、
前記筐体本体の背面であって、前記ネジ部材の軸線を延長させた延長線と前記背面が交わる位置に形成され、
前記筐体本体は、
前記ドライバー器具の先端を前記筐体本体の外側から前記貫通孔に挿入させて前記ネジ部材に到達可能となるように、前記延長線上に前記機器を配設していないことを特徴とする遊技台。
【請求項２】
請求項１記載の遊技台であって、
前記筐体本体は、
前記鉤部材と前記受け金具の係止を解除するための解除器具が挿入可能な貫通孔を、前記筐体本体の背面にさらに備えていることを特徴とする遊技台。
【発明の詳細な説明】
【技術分野】
【０００１】
本発明は、スロットマシン（パチスロ）、パチンコに代表される遊技台に関する。
【背景技術】
【０００２】
近年の遊技台（例えば、スロットマシン）は、メダルを投入してスタートレバーを操作することでリールを回転させるとともに、内部抽選によって役を内部決定し、ストップボタンを操作することでリールを停止させた時に、図柄表示窓上に内部決定に応じて予め定められた図柄の組合せが表示されると役が成立するように構成されている。そして、メダルの払出を伴う役が成立した場合には、規定数のメダルが払い出されるようになっている。
【０００３】
このような遊技台のリールを筐体本体に取り付ける方法としては、各リールをリール収容箱体に収容した後、各リールを収容したリール収容箱体を筐体本体の背面に係止して、筐体本体に取り付ける方法がある。例えば、特許文献１に記載のスロットマシンでは、リール収容箱体の背面（筐体本体の背面に当接する面）左右上端に、上方に向かって延設された固定片がそれぞれ形成されており、この固定片と筐体本体の背面に設けられた回転爪とが係合することにより、リール収容箱体は筐体本体に取り付けられるようになっている。
【０００４】
【特許文献１】特開２００３−２５０９５６号公報
【発明の開示】
【発明が解決しようとする課題】
【０００５】
上述した構成においては、固定片はリール収容箱体に背面側からネジ止めされている。したがって、固定片を止めているネジが緩んだ場合には（具体的には、リールモータによって繰り返される回転駆動と回転停止による振動が原因でネジが緩み、リール位置がずれたような場合）、一旦、リール収容箱体を筐体本体から取り出して、リール収容箱体の固定片に対してネジの締め直し作業を行い、その後、再び、リール収容箱体を筐体本体に取り付けるという作業が必要になる。
【０００６】
このように、筐体内に設置される機器に対して、筐体の背面側から調節作業しなければならない場合には、一旦、機器を筐体本体から取り外してから作業を行い、その後、再び、筐体本体に取り付けなければならないので、作業効率が悪く、作業が煩わしいという問題がある。
【０００７】
本発明は上記の問題を解決するためになされたものであり、筐体の内部に設けられた機器に対する調節作業の作業性を向上させることができる遊技台及び遊技台の調節作業方法を提供することを目的とする。
【課題を解決するための手段】
【０００８】
上記目的を達成するため、本発明は、次のように構成される。
【０００９】
本発明は、その一態様として、遊技に関連した機器を収納する筐体本体（例えば、本体１０１；以下同じ）と、前記筐体本体の前面に開閉可能に取り付けられた扉体（例えば、前面扉１０２；以下同じ）と、を備えた遊技台（例えば、スロットマシン１００；以下同じ）であって、前記筐体本体は、遊技台の内部に対する調節作業（例えば、リールユニット２１０の位置調節作業、施錠装置２３０の解錠作業など）を行うための器具（例えば、ドライバーなど）が挿通可能な貫通孔（例えば、貫通孔１０３；以下同じ）を備えていることを特徴とする。
【００１０】
本発明の一態様においては、遊技台の筐体本体に貫通孔を設け、貫通孔を介して遊技台の内部に対する調節作業を行うことができるので、遊技台の製造時やメンテナンス時の遊技台内部に対する調節作業の作業性を向上させることができる。
【００１１】
この場合、前記貫通孔は、前記筐体本体の背面（例えば、背板２０１；以下同じ）に設けられていることが好ましい。これにより、筐体本体の背面は、遊技者側に露出しないので、不正行為（例えば、施錠装置を不正開錠する行為や筐体本体に収納された主基板等への不正なアクセス行為）の防止に好適である。
【００１２】
また、前記扉体を前記筐体本体に施錠する施錠装置（例えば、施錠装置２３０；以下同じ）をさらに備え、前記施錠装置は、挿入された鍵の回転に対応してシリンダ錠（例えば、２３２）の先端に設けたカム部材（例えば、カム部材２３３；以下同じ）を回転させ、回転させたカム部材に連動して、動作する鉤部材（例えば、鉤部材２３５；以下同じ）を、前記筐体本体に取り付けられた受け金具（例えば、受け金具２０５）に係止して前記扉体を施錠し、前記調節作業とは、前記施錠装置の施錠を解除する作業であることが好ましい。これにより、施錠装置を解錠できない場合であっても、貫通孔を介して解錠作業（例えば、カム部材の取り外し、ロック部材の取り外しなど）を行うことができ、便利である。
【００１３】
また、この場合、前記施錠装置は、鍵が挿入されていない状態においては、前記カム部材の回転を不可とするとともに、連動関係にある前記鉤部材の動作も不可として、施錠を解除できない構成を有し、前記施錠装置の施錠を解除する作業は、前記カム部材の回転と、前記鉤部材の動作の連動を遮断する作業であることが好ましい。これにより、ロック機構を有するなどして不正解錠行為を防止できる施錠装置においても、解錠作業を確実に行うことができる。
【００１４】
また、前記調節作業とは、前記筐体本体に収納された機器（例えば、リールユニット２１０など）に対する調節作業（例えば、位置調整作業など）であることが好ましい。これにより、筐体本体に収納された機器に対して、筐体外部から容易に調節作業を行うことができる。
【００１５】
また、前記貫通孔は、前記調節作業の対象となる部位に対して略垂直な方向に形成されていることが好ましい。これにより、作業者は、調節作業の対象となる部位に対して、器具を略垂直に挿入して作業を行えるので、作業性をさらに向上させることができる。特に、対象部位がネジの場合には、ネジ溝に対して略垂直に差し込むことができるので、確実にネジを回すことができる。
【００１６】
また、前記貫通孔の開口寸法は、１０ミリ以上５０ミリ以下であることが好ましい。これにより、遊技台内部に対する調節作業に器具を使用することができるので、作業効率がよい。
【００１７】
また、前記貫通孔を塞ぐカバー部材（例えば、孔カバー１０４）をさらに備えていることが好ましい。これにより、遊技時において上述した不正行為を防止することができる。
【００１８】
また、本発明は、その一態様として、遊技に関連した機器を収納する筐体本体と、前記筐体本体の前面に開閉可能に取り付けられた扉体と、を備えた遊技台の調節作業方法であって、前記筐体本体に設けられた貫通孔に器具を挿入し、前記器具を用いて前記遊技台の内部に配置された所定の機器（例えば、リールユニット２１０、施錠装置２３０など）を調節することを特徴とする。
【００１９】
本発明の一態様においては、遊技台の筐体本体に貫通孔を設け、貫通孔を介して遊技台の内部に対する調節作業を行うことができるので、遊技台の製造時やメンテナンス時の遊技台内部に対する調節作業の作業性を向上させることができる。
【００２０】
この場合、前記貫通孔は、前記筐体本体の背面に設けられていることが好ましい。これにより、筐体本体の背面は、遊技者側に露出しないので、上述した不正行為の防止に好適である。
【００２１】
また、前記遊技台は、前記扉体を前記筐体本体に施錠する施錠装置をさらに備え、前記施錠装置は、挿入された鍵の回転に対応してシリンダ錠の先端に設けたカム部材を回転させ、回転させたカム部材に連動して、動作する鉤部材を、前記筐体本体に取り付けられた受け金具に係止して扉体を施錠する構成であり、前記所定の機器の調節とは、前記施錠装置の解錠であることが好ましい。これにより、施錠装置を解錠できない場合であっても、貫通孔を介して解錠作業（例えば、カム部材の取り外し、ロック部材の取り外しなど）を行うことができ、便利である。
【００２２】
また、前記施錠装置は、鍵が挿入されていない状態においては、前記カム部材の回転を不可とするとともに、連動関係にある前記鉤部材の動作も不可として、施錠を解除できない構成を有し、前記施錠装置の解錠は、前記カム部材の回転と、前記鉤部材の動作の連動を遮断する作業であることが好ましい。これにより、ロック機構を有するなどして不正解錠行為を防止できる施錠装置においても、解錠作業を確実に行うことができる。
【００２３】
また、前記所定の機器の調節とは、前記筐体本体に収納された機器の調整であることが好ましい。これにより、筐体本体に収納された機器に対して、筐体外部から容易に調節作業を行うことができる。
【発明の効果】
【００２４】
本発明によれば、筐体の内部に設けられた機器に対する調節作業の作業性を向上させることができる。
【発明を実施するための最良の形態】
【００２５】
以下、本発明の実施の形態について図面を用いて説明する。
【００２６】
＜全体構成＞
図１は、本発明の一実施形態に係るスロットマシン１００の外観斜視図である。スロットマシン１００は、メダルの投入により遊技が開始され、遊技の結果によりメダルが払い出されるものである。
【００２７】
スロットマシン１００は、略箱状の本体１０１と、この本体１０１の前面開口部に取り付けられた前面扉１０２とを有して構成されている。スロットマシン１００の本体１０１の中央内部には、外周面に複数種類の図柄が所定コマ数だけ配置されたリールが３個（左リール１１０、中リール１１１、右リール１１２）収納され、スロットマシン１００の内部で回転できるように構成されている。各図柄は帯状部材に等間隔で適当数印刷され、この帯状部材が所定の円形枠材に貼り付けられて各リール１１０〜１１２が構成されている。リール１１０〜１１２上の図柄は、遊技者から見ると、図柄表示窓１１３から縦方向に概ね３つ表示され、合計９つの図柄が見えるようになっている。そして、各リール１１０〜１１２を回転させることにより、遊技者から見える図柄の組み合せが変動することとなる。なお、本実施形態では、３個のリールをスロットマシン１００の中央内部に備えているが、リールの数やリールの設置位置はこれに限定されるものではない。
【００２８】
また、図柄表示窓１１３の外枠には、点滅や点灯などの点灯制御によって、後述する有効ラインや入賞ラインを報知するためのライン表示ＬＥＤ（図示省略）が配置されている。
【００２９】
さらに、スロットマシン１００内部において各々のリール１１０〜１１２の近傍には、投光部と受光部からなる光学式センサ（図示省略）が設けられており、この光学式センサの投光部と受光部の間を、リールに設けられた一定の長さの遮光片が通過するように構成されている。このセンサの検出結果に基づいてリール上の図柄の回転方向の位置を判断し、目的とする図柄が入賞ライン１１４上に表示されるようにリール１１０〜１１２を停止させる。
【００３０】
入賞ライン表示ランプ１２０は、有効となる入賞ラインを示すランプである。有効となる入賞ラインは、スロットマシン１００に投入されたメダルの数によって予め定まっている。５本の入賞ライン１１４のうち、例えば、メダルが１枚投入された場合、中段の水平入賞ラインが有効となり、メダルが２枚投入された場合、上段水平入賞ラインと下段水平入賞ラインが追加された３本が有効となり、メダルが３枚投入された場合、右下り入賞ラインと右上り入賞ラインが追加された５本が入賞ラインとして有効になる。なお、入賞ライン１１４の数については５本に限定されるものではない。
【００３１】
スタートランプ１２１は、リール１１０〜１１２が回転することができる状態にあることを遊技者に知らせるランプである。再遊技ランプ１２２は、前回の遊技において入賞役の一つである再遊技役に入賞した場合に、今回の遊技が再遊技可能であること（メダルの投入が不要であること）を遊技者に知らせるランプである。告知ランプ１２３は、後述する内部抽選において、特定の入賞役（例えば、ＢＢ（ビッグボーナス）やＲＢ（レギュラーボーナス）等のボーナス）に内部当選していることを遊技者に知らせるランプである。メダル投入ランプ１２４は、メダルの投入が可能であることを知らせるランプである。
払出枚数表示器１２５は、何らかの入賞役に入賞した結果、遊技者に払出されるメダルの枚数を表示するための表示器である。遊技回数表示器１２６は、メダル投入時のエラー表示や、ビッグボーナスゲーム中（ＢＢゲーム中）の遊技回数、所定の入賞役の入賞回数等を表示するための表示器である。貯留枚数表示器１２７は、スロットマシン１００に電子的に貯留されているメダルの枚数を表示するための表示器である。リールパネルランプ１２８は、演出用のランプである。
【００３２】
メダル投入ボタン（ベットボタン）１３０、１３１は、スロットマシン１００に電子的に貯留されているメダル（クレジットという）を所定の枚数分投入するためのボタンである。本実施形態においては、メダル投入ボタン１３０が押下される毎に１枚ずつ最大３枚まで投入され、メダル投入ボタン１３１が押下されると３枚投入されるようになっている。メダル投入口１３４は、遊技を開始するに当たって遊技者がメダルを投入するための投入口である。すなわち、メダルの投入は、メダル投入ボタン１３０又は１３１により電子的に投入することもできるし、メダル投入口１３４から実際のメダルを投入することもできる。
【００３３】
精算ボタン１３２は、スロットマシン１００に電子的に貯留されたメダル及びベットされたメダル（ベットされているが、未だ遊技に使用されていないメダル）を精算し、メダル払出口１５５よりメダル受皿１５６に排出するためのボタンである。メダル返却ボタン１３３は、投入されたメダルが詰まった場合に押下してメダルを取り除くためのボタンである。
【００３４】
スタートレバー１３５は、遊技の開始操作を行うためのレバー型のスイッチである。すなわち、メダル投入口１３４に所望する枚数のメダルを投入して、スタートレバー１３５を操作すると、これを契機としてリール１１０〜１１２が回転し、遊技が開始される。ストップボタン１３７〜１３９は、スタートレバー１３５の操作によって回転を開始したリール１１０〜１１２を個別に停止させるためのボタン型のスイッチであり、各リール１１０〜１１２に対応して設けられている。そして、いずれかのストップボタン１３７〜１３９を操作すると対応するいずれかのリール１１０〜１１２が停止することになる。
【００３５】
ドアキー孔１４０は、スロットマシン１００の前面扉１０２のロックを解除するための鍵を挿入する孔である。詳細は後述するが、本実施形態においては、ドアキー孔１４０に鍵を差し込んで右周りに回動させると、前面扉１０２は開放し、左周りに回動させると、リセット操作（例えば、後述するエラー報知演出の解除）を行うようになっている。メダル払出口１５５は、メダルを払出すための払出口である。メダル受皿１５６は、メダル払出口１５５から払出されたメダルを溜めるための器である。なお、メダル受皿１５６は、本実施形態では発光可能な受皿を採用している。
【００３６】
上部ランプ１５０、サイドランプ１５１、中央ランプ１５２、腰部ランプ１５３、下部ランプ１５４は、遊技を盛り上げるための装飾用のランプである。演出装置１９０は、例えば開閉自在な扉装置（シャッター）１６３が前面に取り付けられた液晶表示装置１５７を含み、この演出装置１９０には、例えば小役告知等の各種の情報が表示される。音孔１６０は、スロットマシン１００内部に設けられているスピーカの音を外部に出力するための孔である。タイトルパネル１６２には、スロットマシン１００を装飾するための図柄が描かれている。
【００３７】
＜筐体内部の構成＞
次に、スロットマシン１００の筐体内部の構成を、本体１０１の背板２０１に形成された貫通孔１０３（貫通孔１０３ａ〜１０３ｄ）に関連した機器を中心に説明する。図２は、スロットマシン１００の前面扉１０２を開放した状態の外観斜視図、図３は、前面扉１０１を取り外したスロットマシン１００の正面図である。
【００３８】
貫通孔１０３は、筐体内部に設置された機器に対する調節作業を背面側から行えるように背板２０１に設けられた孔である。詳しくは、貫通孔１０３ａ及び１０３ｂは、リールユニット２１０の位置を調節する調節作業のための孔であり、リールユニット２１０の背面における左右両端の上部が背板２０１に当接する位置にそれぞれ設けられている。また、貫通孔１０３ｃ及び１０３ｄは、施錠装置２３０の施錠を解除する解錠作業のための孔であり、施錠装置２３０が設置される筐体右端に鉤部材２３５の位置に対応させてそれぞれ設けられている。ここで、貫通孔１０３（以下、貫通孔１０３ａから１０３ｄを区別せず総称する場合には貫通孔１０３と表記する）の内径としては、作業を行うための器具（例えば、ドライバや棒など）先端部が挿入可能な大きさが望ましく、例えば、１０ｍｍから５０ｍｍ程度が好適である
なお、作業時以外には、貫通孔１０３には、それぞれ孔カバー１０４が嵌め込まれ、貫通孔１０３は塞がれた状態になっている。このように、スロットマシン１００は、遊技時においては、背面方向から筐体内部に対して直接アクセスすることはできないので、本体１０１に孔が形成されていても不正行為を防止可能な構成となっている。
【００３９】
リールユニット２１０は、樹脂製のリール収容ケース２１１内にステッピングモータで駆動されるリール１１０〜１１２を個別に着脱可能に取り付けて構成している。そして、このリールユニット２１０は、リール収容ケース２１１により３本のリールをユニット化し、本体１０１に設けたリールユニット載置台２０２に対する着脱を容易に行えるように構成している。
【００４０】
本実施形態では、リールユニット２１０は、リール収容ケース２１１の前面（開口面）周縁に形成されたフランジ部２１１ａの左右下端それぞれがピン部材２０３によりリールユニット載置台２０２に固定されるとともに、リール収容ケース２１１の背面左右両端部からそれぞれ上方に延設されたリールユニット取付ステー２１３ａ及び２１３ｂが背板２０１に固定された取付ベース２２０に係止されるようになっている。
【００４１】
すなわち、リールユニット２１０の前面側は、ピン部材２０３が、フランジ部２１１ａの左右下端それぞれに設けられた挿通孔２１２を介してリールユニット載置台２０２の前面に設けられた挿通孔２０４内に嵌合することにより、本体１０１に固定される。ここで、ピン部材２０３は、挿通孔２１２及び２０４内に嵌合される第１ピン２０３ａと、第１ピン内に進退自在に嵌合される第２ピン２０３ｂと、から構成されており、第２ピン２０３ｂが内部に押し込まれて第１ピン２０３ａが外向きに広がるように弾性変形することにより、第１ピン２０３ａが挿通孔２１２及び２０４に嵌合されるようになっている。なお、リールユニット２１０の背面を本体１０１に着脱する着脱機構（背面着脱機構という）、並びにこの背面着脱機構と貫通孔１０３ａ及び１０３ｂとの関係については、詳しくは後述する。
【００４２】
スロットマシン１００の前面扉１０２と本体１０１の施錠機構は、前面扉１０２の右端内側（背面側）に上下方向に取り付けられた施錠装置２３０と、本体１０１の本体枠上に設けられ、施錠装置２２０の鉤部材２３５を係止する受け金具２０５と、で構成されている。なお、本実施形態の施錠機構、並びに施錠機構と貫通孔１０３ｃ及び１０３ｄとの関係については、詳しくは後述する。
【００４３】
また、本体１０１の内部には、透明な樹脂ケースからなる主基板収納ケース２４０が、本体１０１の背板２０１の上部に取り付けられている。この主基板収納ケース２４０の内部空間には、スロットマシン１００の全体的な制御を行う主制御部３００を構成する電気部品を実装した主制御基板が収納されている。
【００４４】
また、前記主制御基板及びリール１１０〜１１２の側方、すなわち向って左側の側板には、副制御部４００を構成する電気部品を実装した副制御基板を収納した副基板収納ケース２５０が配設されている。
【００４５】
＜リールユニット＞
次に、図４及び図５を参照して、リールユニット２１０の背面を本体１０１に着脱する背面着脱機構について説明する。図４は、リールユニット２１０を背面側から見た外観斜視図、図５は、背面着脱機構の要部斜視図である。
【００４６】
リールユニット２１０のリール収容ケース２１１は、前面が開口する箱状に形成されており、上述したように、その内部にリール１１０〜１１２を収容可能としている。そして、リール収容ケース２１１の背面２１７外側上部における左右両端には、リールユニット取付ステー２１３ａ及び２１３ｂが形成されている。リールユニット取付ステー２１３（以下、リールユニット取付ステー２１３ａ及び２１３ｂを区別せず総称する場合にはリールユニット取付ステー２１３と称する）は、図４に示すように、背面２１７に当接している固定片取付部２１４と、固定片取付部２１４の後面にネジ２１６を介して取り付けられ、その上端部が背面側に屈曲するとともに上方に突出している固定片２１５から構成されている。
【００４７】
リールユニット２１０のリールユニット取付ステー２１３は、図５に示すように、本体１０１の背板２０１の内側に取り付けられた取付ベース２２０に係止するようになっている。詳しくは、リールユニット取付ステー２１３の固定片２１５が、階段状に形成された取付ベース２２０の最前面に位置する当接片２２１の位置決め溝２２３（図２参照）に位置決めされるとともに、位置決め溝２２３の外側に設けられた回転爪２２２（リールユニット取付ステー２１３ａを係止する回転爪２２２ａと、リールユニット取付ステー２１３ｂを係止する回転爪２２２ｂを区別せずに総称する場合は回転爪２２２と称する）とを内側に回転させて、回転爪２２２を固定片２１５の前面側に位置づけることにより、リールユニット取付ステー２１３は取付ベース２２０に係止されるようになっている。
【００４８】
次に、図６を参照して、背面着脱機構と貫通孔１０３ａ及び１０３ｂの位置関係について説明する。図６は、スロットマシン１００を右側面から見たときの透視図である。
【００４９】
貫通孔１０３ａ及び１０３ｂは、図６に示すように、リールユニット取付ステー２１３ａ及び２１３ｂをリール収容ケース２１１に取り付けるネジ２１６のネジ位置（高さ）に対応させて背板２０１に形成されているため、本実施形態においては、作業者は、背面側からドライバーなどの器具Ｔ１を挿入して、ネジ２１６を締めることが可能となっている。すなわち、本実施形態では、貫通孔１０３ａ及び１０３ｂは、ネジ２１６頭部に対して略垂直方向に配設されているので、作業者は、器具Ｔ１をネジ２１６頭部に対して略垂直にあてがうことができ、容易に作業を行うことができる。
【００５０】
以上から、本実施形態においては、リールユニット取付ステー２１３を止めているネジ２１６が緩んで、リールユニット２１０の位置がずれた場合には、リールユニット２１０を本体１０１から一旦取り外すことなく、貫通孔１０３ａ及び１０３ｂから器具Ｔ１を挿入し、挿入した器具Ｔ１によってネジ２１６を締め直すことで、リールユニット２１０の位置を微調整することができる。
【００５１】
図７にリールユニット２１０の位置調整作業の流れを示す。リールユニット２１０の位置ズレが生じた場合には、作業者は、まず、貫通孔１０３ａ及び１０３ｂに嵌め込まれていた孔カバー１０４を取り外し（ステップＳ２）、次いで、前面扉１０２を開放した状態で前面方向からリールユニット２１０の位置の微調整を行い（ステップＳ４）、最後に、背面方向から貫通孔１０３ａ及び１０３を介してドライバーなどの器具Ｔ１でネジ２１６を締め付けて（ステップＳ６）、位置調整作業を終了とする。
【００５２】
このように、本実施形態においては、背面側からネジ止めされているリールユニット２１０の部位に対して背面側から調整作業ができるので、リールユニット２１０の位置調整作業の作業性を向上させることができる。
【００５３】
＜施錠装置＞
次に、図８及び図９を参照して、施錠機構の中核をなす施錠装置２３０の構成について説明する。図８は、施錠装置２３０を背面方向から見た外観斜視図、図９は、図８（ｂ）に示す施錠装置２３０のカム部材２３３近傍を拡大した図である。
【００５４】
施錠装置２３０は、概略、断面を略コ字状にして縦長（上下方向）に形成され、前面扉１０２に固定される取付フレーム２３１と、取付フレーム２３１の幅広部に取り付けられ、固定されているシリンダ錠２３２と、シリンダ錠２３２の錠軸に固定され、シリンダ錠２３２（ドアキー孔１４０）に差し込まれた鍵の回動に対応して回動するカム部材２３３と、取付フレーム２３１の内側に沿って配設され、カム部材２３３の回動に連動して、取付フレーム２３１内を上下に摺動する連結杆２３４と、取付フレーム２３１の上部及び下部において連結杆２３４に連結され、受け金具２０５に係止する鉤部材２３５と、を備えている。
【００５５】
ここで、カム部材２３３は、ネジ２３６によりシリンダ錠２３２にネジ止めされ固定されている。また、鉤部材２３５は、取付フレーム２３１に枢支ピン２３７により枢支されているとともに、連結杆２３４の末端部と連結ピン２３８により連結されている。このため、鉤部材２３５は、連結杆２３４が上下に摺動することにより、枢支ピン２３７を中心に上下に回動し、受け金具２０５に係止したり、受け金具２０５との係止を解除したりする。なお、詳しくは後述するが、連結杆２３４が下方に摺動することにより、鉤部材２３５は受け金具２０５との係止が解除され、施錠装置２３０は解錠されることとなる。
【００５６】
また、取付フレーム２３１の幅広部には、図９に示すように、前面扉１０２の開放を検知する扉センサ４２１、及び副制御部４００で実行されるエラー報知演出（例えば、扉開放状態、メダル不足状態、ホッパー払出異常等の報知演出）を解除し、エラー前の遊技状態における演出内容に復旧させるリセット操作を検知するリセットセンサ４２２が配設されている。扉センサ４２１及びリセットセンサ４２２は、それぞれ、投光部と受光部からなる透過型光センサであり、移動可能な検知片が投光部から出射された光を遮光することにより、各状態を検知するようになっている。具体的には、扉センサ４２１は、連結杆２３４の下部に形成された検知片２３９の遮光に基づいて前面扉１０２の開放状態を検知し、また、リセットセンサ４２２は、取付フレーム２３１と連結杆２３４の間に摺動可能に配設された作動杆２４１に形成された検知片２４１ａの遮光に基づいて、リセット操作を検知するようになっている。
【００５７】
また、連結杆２３４には、図９に示すように、ロック部材２４３が取り付けられており、シリンダ錠２３２に鍵が差し込まれていない状態においては、連結杆２３４をロックさせて、連結杆２３４を上下に摺動させないようにしている。すなわち、シリンダ錠２３２に鍵が差し込まれていない状態においては、シリンダ錠２３２の内部機構により錠軸は回転不可に構成されているため、シリンダ錠２３２の錠軸に固定されたカム部材２３３は回動不可となっており、カム部材２３３を介さずに受け金具２０５との係止を解除しようとして鉤部材２３５を上方に回動させ連結杆２３４を下方に摺動させようとしても、ロック部材２３７がカム部材２３３に触突して、連結杆２３４は下方に摺動できないようになっている。
【００５８】
したがって、本実施形態の施錠装置２３０は、施錠されている状態において、前面扉１０２と本体１０１の間の隙間から針金等の器具を差し込んで、鉤部材２３５の回動、または連結杆２３４の摺動をさせようとしても、連結杆２３４を動かすことはできないので、不正解錠を防止することができる機構を備えている。
【００５９】
次に、図１０及び図１１を参照して、施錠装置２３０の動作について説明する。図１０は、ドアキー孔１４０に鍵を差し込んで右周りに回動したときのカム部材２３３及び鉤部材２３５の動作を説明する図であり、図１１は、ドアキー孔１４０に鍵を差し込んで左周りに回動したときのカム部材２３３の動作を説明する図である。
【００６０】
まず、図１０を参照して、施錠状態においてドアキー孔１４０に鍵を差し込んで右周りに回動したときの施錠装置２３０の動作について説明する。
【００６１】
ドアキー孔１４０に鍵を差し込んで右周りに回動すると、鍵の回動に対応してカム部材２３３も右周りに回動する（図１０（ａ）参照）。そして、カム部材２３３が右周りに回動すると、カム部材２３３の上部先端に形成されたカム係合部２３３ａが、連結杆２３４から突出して形成された係合片２４４（図９及び図１０（ａ）参照）に係合するので、連結杆２３４が下方に摺動され、連結杆２３４の下方への摺動に伴って、連結杆２３４に連結されている鉤部材２３５が枢支ピン２３７を中心に上方に回動する（図１０（ｂ）参照）。この結果、受け金具２０５に係止していた鉤部材２３５は係止状態が解除されて解錠状態となる。なお、解錠状態においては、検知片２３９が扉センサ２４１の投光部から出射された光を遮光するので、スロットマシン１００は解錠状態（前面扉１０２の開放状態）を検知することができる。
【００６２】
次に、図１１を参照して、施錠状態においてドアキー孔１４０に鍵を差し込んで左周りに回動したときの施錠装置２３０の動作について説明する。
【００６３】
ドアキー孔１４０に鍵を差し込んで左周りに回動すると、鍵の回動に対応してカム部材２３３も左周りに回動する（図１１参照）。そして、カム部材２３３が左周りに回動すると、カム部材２３３の下部先端に形成されたカム係合部２３３ｂが、作動杆２４１から突出して形成された係合片２４１ｂ（図９及び図１１参照）に係合するので、作動杆２４１が上方に摺動され、作動杆２４１の上方への摺動に伴って、作動杆２４１下部に形成された検知片２４１ａがリセットセンサ４２２の位置まで上方に移動する。この結果、検知片２４１ａがリセットセンサ４２２の投光部から出射された光を遮光するので、スロットマシン１００はリセット操作を検知することができる。
【００６４】
次に、図６を参照して、施錠機構と貫通孔１０３ｃの位置関係について説明する。
【００６５】
貫通孔１０３ｃは、上述したカム部材２３３と連結杆２３４及び鉤部材２３５との連動動作を遮断する作業を行うために設けられており、具体的には、カム部材２３３のネジ２３６を取り外す作業に用いられる。
【００６６】
貫通孔１０３ｃは、図６に示すように、カム部材２３３をシリンダ錠２３２に取り付けるネジ２３６のネジ位置に対応させて形成されているため、本実施形態においては、作業者は、背面側からドライバー（先端と柄の間の軸部分が長いドライバー）などの器具Ｔ２を挿入して、ネジ２３６を取り外すことが可能となっている。詳しくは、シリンダ錠２３２は、水平面（地面）に対して約６度上方に傾いて配設されているので、貫通孔１０３ｃは、この傾斜に合わせてネジ２３６の軸線方向に形成されている。すなわち、本実施形態では、貫通孔１０３ｃは、ネジ２３６頭部に対して略垂直方向に配設されているので、作業者は、器具Ｔ２をネジ２３６頭部に対して略垂直にあてがうことができ、容易に作業を行うことができる。
【００６７】
以上から、本実施形態においては、例えば、スロットマシン１００のシリンダ錠２３２が出荷時のもの（共通鍵が使用できる共通シリンダ錠）から各店舗で使用されているシリンダ錠２３２に変更され、リサイクルなどで回収した際に、前面から解錠できないような場合であっても、貫通孔１０３ｃから器具Ｔ２を挿入し、挿入した器具Ｔ２によってシリンダ錠２３２に取り付けられているカム部材２３３のネジ２３６を取り外して、カム部材２３３を取り外すことができるので、これによって、カム部材２３３と連結杆２３４及び鉤部材２３５との連動を断ち切ることができる。
【００６８】
この結果、ロック部材２４３を備えて不正解錠防止対策が施されている施錠装置２３０であっても、貫通孔１０３ｃを介してカム部材２３３を取り外した後に、貫通孔１０３ｄから細長い棒のような器具Ｔ３を挿入し、挿入した器具Ｔ３によって鉤部材２３５の受け金具２０５への係止を解除して、鉤部材２３５を上方に回動させれば（カム部材２３３を取り外したので、ロック部材２４３によるロック機構は機能せず、鉤部材２３５は上方に回動し、連結杆２３４は下方に摺動する）、施錠装置２３０は解錠状態となり、前面扉１０２を開放することができる。
【００６９】
従来、ロック部材を備えて不正解錠防止対策が施されている遊技台においては、シリンダ錠が変更されたりすると、メンテナンス回収やリサイクル回収（解体作業、機種変更）等の際に解錠できない場合があった。すなわち、このような不正解錠防止対策が施されている遊技台においては、前面扉と本体の間の隙間から針金等の器具を差し込んで、鉤部材の回動、または連結杆の摺動をさせようとしても、連結杆を動かすことはできないので、施錠装置を解錠することができないという不都合があった。本実施形態のスロットマシン１００は、このような不都合を解消したものであり、セキュリティ対策が施された施錠装置２３０であっても、貫通孔１０３ｃ及び１０３ｄを介した背面側からの解錠作業を行うことにより、施錠装置２３０を簡単に解錠することができるものである。
【００７０】
図１２に施錠装置２３０の解錠作業（施錠解除作業）の流れを示す。解錠作業を行う場合には、作業者は、まず、貫通孔１０３ｃ及び１０３ｄに嵌め込まれていた孔カバー１０４を取り外し（ステップＳ１２）、次いで、背面方向から貫通孔１０３ｃを介して軸部分の長いドライバーなどの器具Ｔ２でネジ２３６を緩めて、カム部材２３３を取り外す（ステップＳ１４）。次いで、作業者は、背面方向から貫通孔１０３ｄを介して細長い棒などの器具Ｔ３で鉤部材２３５の受け金具２０５への係止を解除すべく、器具Ｔ３を鉤部材２３５に当てて、鉤部材２３５を上方に回動すると、施錠は解除される（ステップＳ１６）。
【００７１】
このように、本実施形態においては、スロットマシン１００の製造時、メンテナンス時、リサイクルの解体時などにおいて前面側から施錠を解除することができないような場合であっても、背面側から施錠装置２３０の解錠作業を行うことができるので、解錠作業の作業性を向上させることができる。
【００７２】
なお、本実施形態においては、鉤部材２３５を上方に回動させるのに、カム部材２３３を取り外して、カム部材２３３と連結杆２３４及び鉤部材２３５の連動を断ち切るようにしたが、これとは別に、ロック部材２４３を取り外すことによって、カム部材２３３と連結杆２３４及び鉤部材２３５の連動を断ち切り、鉤部材２３５を上方に回動可能とするようにしてもよい。
【００７３】
＜制御部の回路構成＞
次に、図１３および図１４を用いて、このスロットマシン１００の制御部の回路構成について詳細に説明する。
【００７４】
スロットマシン１００の制御部は、大別すると、遊技の中枢部分の制御、すなわち、スロットマシン１００の遊技進行に関する処理を実行する主制御部３００と、主制御部３００より送信された信号（制御コマンド）に応じて各種機器を制御、すなわち、演出に関する処理を実行する副制御部４００と、によって構成されている。
【００７５】
＜主制御部＞
まず、図１３を用いて、スロットマシン１００の主制御部３００について説明する。なお、同図は主制御部３００の回路ブロック図を示したものである。
【００７６】
主制御部３００は、主制御部３００の全体を制御するための演算処理装置であるＣＰＵ３１０や、ＣＰＵ３１０が各ＩＣや各回路と信号の送受信を行うためのデータバス及びアドレスバスを備え、その他、以下に述べる構成を有する。クロック補正回路３１４は、水晶発振器３１１から発振されたクロックを分周してＣＰＵ３１０に供給する回路である。例えば、水晶発振器３１１の周波数が１２ＭＨｚの場合に、分周後のクロックは６ＭＨｚとなる。ＣＰＵ３１０は、クロック補正回路３１４により分周されたクロックをシステムクロックとして受け入れて動作する。
【００７７】
また、ＣＰＵ３１０には、センサやスイッチの状態を常時監視するためのタイマ割り込み処理の周期やモータの駆動パルスの送信周期を設定するためのタイマ回路３１５がバスを介して接続されている。ＣＰＵ３１０は、電源が投入されると、データバスを介してＲＯＭ３１２の所定エリアに格納された分周用のデータをタイマ回路３１５に送信する。タイマ回路３１５は、受信した分周用のデータを基に割り込み時間を決定し、この割り込み時間ごとに、割り込み要求をＣＰＵ３１０に送信する。ＣＰＵ３１０は、この割込み要求を契機に、各センサ等の監視や駆動パルスの送信を実行する。例えば、ＣＰＵ３１０のシステムクロックを８ＭＨｚ、タイマ回路３１５の分周値を１／２５６、ＲＯＭ３１２の分周用のデータを４７に設定した場合、この割り込みの基準時間は、２５６×４７÷８ＭＨｚ＝１．５０４ｍｓとなる。
【００７８】
さらに、ＣＰＵ３１０には、各ＩＣを制御するためのプログラム、入賞役の内部抽選時に用いる抽選データ、リールの停止位置等の各種データを記憶しているＲＯＭ３１２や、一時的なデータを保存するためのＲＡＭ３１３が接続されている。これらのＲＯＭ３１２やＲＡＭ３１３については他の記憶手段を用いてもよく、この点は後述する副制御部４００においても同様である。また、ＣＰＵ３１０には、外部の信号を受信するための入力インタフェース３６０が接続され、割込み時間ごとに入力インタフェース３６０を介して、メダル投入センサ３２０、スタートレバーセンサ３２１、ストップボタンセンサ３２２、メダル投入ボタンセンサ３２３、精算スイッチセンサ３２４、メダル払い出しセンサ３２６、及び電源判定回路３２７の状態を検出し、各センサを監視している。
【００７９】
メダル投入センサ３２０は、メダル投入口１３４の内部の通路に設置されており、メダル投入口１３４に投入されたメダルを検出するためのセンサである。スタートレバーセンサ３２１はスタートレバー１３５の操作を検出するためのセンサである。ストップボタンセンサ３２２はストップボタン１３７〜１３９のいずれかが押された場合、どのストップボタンが押されたかを検出するためのセンサである。メダル投入ボタンセンサ３２３はメダル投入ボタン１３０、１３１のいずれかが押下された場合、どのメダル投入ボタンが押されたかを検出するためのセンサである。精算スイッチセンサ３２４は、精算ボタン１３２に設けられており、精算ボタン１３２が一回押されると、貯留されているメダル及びベットされているメダルが精算されて払い出されることになる。メダル払い出しセンサ３２６は、払い出されるメダルを検出するためのセンサである。電源判定回路３２７は、スロットマシン１００に供給される電源の遮断を検出するための回路である。
【００８０】
ＣＰＵ３１０には、更に、入力インタフェース３６１、出力インタフェース３７０、３７１がアドレスデコード回路３５０を介してアドレスバスに接続されている。ＣＰＵ３１０は、これらのインタフェースを介して外部のデバイスと信号の送受信を行っている。
【００８１】
入力インタフェース３６１には、インデックスセンサ３２５が接続されている。インデックスセンサ３２５は、各リール１１０〜１１２の取付台の所定位置に設置されており、リール１１０〜１１２に設けた遮光片がこのインデックスセンサ３２５を通過するたびにハイレベルになる。ＣＰＵ３１０は、この信号を検出すると、リールが１回転したものと判断し、リールの回転位置情報をゼロにリセットする。
【００８２】
出力インタフェース３７０には、リールを駆動させるためのモータを制御するリールモータ駆動部３３０と、ホッパー（メダル払出装置）のモータを駆動するためのホッパーモータ駆動部３３１と、遊技ランプ３４０（具体的には、入賞ライン表示ランプ１２０、スタートランプ１２１、再遊技ランプ１２２、告知ランプ１２３、メダル投入ランプ１２４等）と、７セグメント（ＳＥＧ）表示器３４１（払出枚数表示器１２５、遊技情報表示器１２６、貯留枚数表示器１２７等）が接続されている。
【００８３】
また、ＣＰＵ３１０には、乱数発生回路３１７がデータバスを介して接続されている。乱数発生回路３１７は、水晶発振器３１１及び水晶発振器３１６から発振されるクロックに基づいて、一定の範囲内で値をインクリメントし、そのカウント値をＣＰＵ３１０に出力することのできるインクリメントカウンタであり、後述する入賞役の内部抽選をはじめ各種抽選処理に使用される。
【００８４】
ＣＰＵ３１０のデータバスには、副制御部４００にコマンドを送信するための出力インタフェース３７１が接続されている。主制御部３００と副制御部４００との情報通信は一方向の通信であり、主制御部３００は副制御部４００へコマンドを送信するが、副制御部４００から主制御部３００へ何らかのコマンド等を送信することはできない。
【００８５】
＜副制御部＞
次に、図１４を用いて、スロットマシン１００の副制御部４００について説明する。なお、同図は副制御部４００の回路ブロック図を示したものである。
【００８６】
副制御部４００は、主制御部３００より送信された主制御コマンド等に基づいて副制御部４００の全体を制御する演算処理装置であるＣＰＵ４１０や、ＣＰＵ４１０が各ＩＣ、各回路と信号の送受信を行うためのデータバス及びアドレスバスを備え、以下に述べる構成を有する。クロック補正回路４１４は、水晶発振器４１１から発振されたクロックを補正し、補正後のクロックをシステムクロックとしてＣＰＵ４１０に供給する回路である。
【００８７】
また、ＣＰＵ４１０にはタイマ回路４１５がバスを介して接続されている。ＣＰＵ４１０は、所定のタイミングでデータバスを介してＲＯＭ４１２の所定エリアに格納された分周用のデータをタイマ回路４１５に送信する。タイマ回路４１５は、受信した分周用のデータを基に割り込み時間を決定し、この割り込み時間ごとに、割り込み要求をＣＰＵ４１０に送信する。ＣＰＵ４１０は、この割込み要求のタイミングをもとに、各ＩＣや各回路を制御する。
【００８８】
また、ＣＰＵ４１０には、副制御部４００の全体を制御するための命令及びデータ、ライン表示ＬＥＤの点灯パターンや各種表示器を制御するためのデータが記憶されたＲＯＭ４１２や、データ等を一時的に保存するためのＲＡＭ４１３が各バスを介して接続されている。
【００８９】
さらに、ＣＰＵ４１０には、外部の信号を送受信するための入出力インタフェース４６０が接続されており、入出力インタフェース４６０には、図柄表示窓１１３の外枠に配設され、点滅や点灯などの点灯制御によって有効ラインや入賞ラインを報知するためのライン表示ＬＥＤ４２０、前面扉１０２の開閉を検出するための扉センサ４２１、及び当該副制御部４００で実行されるエラー報知演出（例えば、扉開放状態、メダル不足状態、ホッパー払出異常等の報知演出）を解除し、エラー前の遊技状態における演出内容に復旧させるリセット操作を検知するリセットセンサ４２２が接続されている。
【００９０】
ＣＰＵ４１０には、データバスを介して主制御部３００から主制御コマンドを受信するための入力インタフェース４６１が接続されており、入力インタフェース４６１を介して受信したコマンドに基づいて、遊技全体を盛り上げる演出処理等が実行される。また、ＣＰＵ４１０のデータバスとアドレスバスには、音源ＩＣ４８０が接続されている。音源ＩＣ４８０は、ＣＰＵ４１０からの命令に応じて音声の制御を行う。また、音源ＩＣ４８０には、音声データが記憶されたＲＯＭ４８１が接続されており、音源ＩＣ４８０は、ＲＯＭ４８１から取得した音声データをアンプ４８２で増幅させてスピーカ４８３から出力する。ＣＰＵ４１０には、主制御部３００と同様に、外部ＩＣを選択するためのアドレスデコード回路４５０が接続されており、アドレスデコード回路４５０には、主制御部３００からのコマンドを受信するための入力インタフェース４６１、時計ＩＣ４２３、７セグメント表示器４４０への信号を出力するための出力インタフェース４７２等が接続されている。
【００９１】
時計ＩＣ４２３が接続されていることで、ＣＰＵ４１０は、現在時刻を取得することが可能である。７セグメント表示器４４０は、スロットマシン１００の内部に設けられており、たとえば副制御部４００に設定された所定の情報を遊技店の係員等が確認できるようになっている。更に、出力インタフェース４７０には、デマルチプレクサ４１９が接続されている。デマルチプレクサ４１９は、出力インタフェース４７０から送信された信号を各表示部等に分配する。すなわち、デマルチプレクサ４１９は、ＣＰＵ４１０から受信されたデータに応じて上部ランプ１５０、サイドランプ１５１、中央ランプ１５２、腰部ランプ１５３、下部ランプ１５４、リールパネルランプ１２８、タイトルパネルランプ１７０、払出口ストロボ１７１を制御する。タイトルパネルランプ１７０は、タイトルパネル１６２を照明するランプであり、払出口ストロボ１７１は、メダル払出口１５５の内側に設置されたストロボタイプのランプである。なお、ＣＰＵ４１０は、扉・液晶画面制御部４９０への信号送信は、デマルチプレクサ４１９を介して実施する。扉・液晶画面制御部４９０は、液晶表示装置１５７及び扉装置１６３を制御する制御部である。
【００９２】
＜メイン処理＞
次に、図１５を用いて、遊技の基本的制御である主制御部３００のメイン処理について説明する。なお、図１５は、主制御部３００のメイン処理の流れを示すフローチャートである。
【００９３】
遊技の基本的制御は、主制御部３００のＣＰＵ３１０が中心になって行い、電源断等を検知しないかぎり、ステップＳ１０２〜ステップＳ１１１の処理を繰り返し実行する。
【００９４】
ステップＳ１０１では、電源投入が行われると、まず、各種の初期化処理が行われる。これにより、主制御部３００のＲＡＭ３１３に記憶されている情報はクリアされる。ステップＳ１０１の処理終了後はステップＳ１０２に進む。
【００９５】
ステップＳ１０２では、メダル投入に関する処理を行う。ここでは、メダルの投入の有無をチェックし、投入されたメダルの枚数に応じて入賞ライン表示ランプ１２０を点灯させる。なお、前回の遊技で再遊技に入賞した場合はメダルの投入が不要である。また、ステップＳ１０２では、遊技のスタート操作に関する処理を行う。ここでは、スタートレバー１３５が操作されたか否かのチェックを行い、スタート操作されたと判断した場合は、投入されたメダル枚数を確定する。ステップＳ１０２の処理終了後はステップＳ１０３に進む。
【００９６】
ステップＳ１０３では、有効な入賞ラインを確定する。ステップＳ１０３の処理終了後はステップＳ１０４に進む。
【００９７】
ステップＳ１０４では、乱数発生器３１１で発生させた乱数を取得する。ステップＳ１０４の処理終了後はステップＳ１０５に進む。
【００９８】
ステップＳ１０５では、ステップＳ１０４で取得した乱数値と、ＲＯＭ３１２に格納されている入賞役抽選テーブルの抽選データを用いて、入賞役の内部抽選を行う。内部抽選の結果、いずれかの入賞役に内部当選した場合、その入賞役のフラグが内部的にＯＮになる。ステップＳ１０５の処理終了後はステップＳ１０６に進む。
【００９９】
ステップＳ１０６では、内部抽選結果等に基づき、リール停止制御データを選択する。ステップＳ１０６の処理終了後はステップＳ１０７に進む。
【０１００】
ステップＳ１０７では、リール回転開始処理により、全リール１１０〜１１２の回転を開始させる。ステップＳ１０７の処理終了後はステップＳ１０８に進む。
【０１０１】
ステップＳ１０８では、ストップボタン１３７〜１３９の受け付けが可能となり、リール停止制御処理により、押されたストップボタン１３７〜１３９に対応するリール１１０〜１１２の回転を停止させる。この際、各リール１１０〜１１２を、ステップＳ１０６で選択したリール停止制御データに基づいて停止させる。ステップＳ１０８の処理終了後はステップＳ１０９に進む。
【０１０２】
ステップＳ１０９では、ストップボタン１３７〜１３９が押されることによって停止した図柄の入賞判定を行う。ここでは、有効ライン上に、内部当選した入賞役またはフラグ持越し中の入賞役に対応する入賞図柄組合せが揃った（表示された）場合にその入賞役に入賞したと判定する。例えば、有効ライン上に、「リプレイ−リプレイ−リプレイ」が揃っていたならばリプレイ入賞と判定する。ステップＳ１０９の処理終了後はステップＳ１１０に進む。
【０１０３】
ステップＳ１１０では、メダル払出処理を行う。このメダル払出処理では、メダル払出（配当）のある何らかの入賞役に入賞していれば、その入賞役に対応する枚数のメダルを払い出す。払出処理については、詳しくは後述する。ステップＳ１１０の処理終了後はステップＳ１１１に進む。
【０１０４】
ステップＳ１１１では、遊技状態制御処理を行う。遊技状態制御処理では、遊技状態を移行するための制御が行われ、例えば、ＢＢ入賞の場合に次回からＢＢ遊技を開始できるよう準備し、それらの最終遊技では、次回から通常遊技が開始できるよう準備する。ステップＳ１１１終了後は、ステップＳ１０２に戻る。
【０１０５】
＜副制御部の処理＞
次に、図１６を参照して、副制御部メイン処理について詳しく説明する。図１６は、スロットマシン１００の副制御部４００の割り込み処理及びメイン処理を示すフローチャートである。
【０１０６】
まず、図１６（ａ）を参照して、割り込み処理について説明する。副制御部４００のＣＰＵ４１０は同図の処理を所定周期で行う。
【０１０７】
ステップＳ２０１では、主制御部３００からの制御コマンドを受信したか否かを判定する。主制御部３００からの制御コマンドを受信した場合は、ステップＳ２０２に進み、    主制御部３００からの制御コマンドを受信しなかった場合は、処理を終了する。
【０１０８】
ステップＳ２０２では、主制御部３００から受信した制御コマンドをＲＡＭ４１３の所定のエリア（コマンド格納エリアという）に上書きせずに順次格納して、処理を終了する。
【０１０９】
次に、図１６（ｂ）を参照して、メイン処理について説明する。副制御部４００のＣＰＵ４１０は、電源断等を検知しないかぎり、同図の処理（ステップＳ３０１〜Ｓ３０５）を繰り返し実行する。
【０１１０】
ステップＳ３０１では、コマンド格納エリアに少なくとも１つの制御コマンドが格納されているか否かを判定する。制御コマンドが格納されている場合は、ステップＳ３０２へ進み、制御コマンドが格納されていない場合は、ステップＳ３０１へ戻る。
【０１１１】
ステップＳ３０２では、コマンド格納エリアから制御コマンドを取得し、その内容を判定する。取得した制御コマンドはコマンド格納エリアから消去する。ステップＳ３０２の処理終了後はステップＳ３０３に進む。
【０１１２】
ステップＳ３０３では、ステップＳ３０２の判定結果に応じて、演出制御処理を行う。ステップＳ３０３の処理終了後はステップＳ３０４に進む。
【０１１３】
ステップＳ３０４では、制御データの出力があるか否かを判定する。具体的には、ステップＳ３０２の判定結果に応じた演出制御処理が、副制御部４００のデバイスドライバ、又は扉・液晶画面制御部４９０に制御データを出力するか否かを判定する。制御データの出力があるときには、ステップＳ３０４に進み、制御データの出力がないときには、ステップＳ３０１に戻る。
【０１１４】
ステップＳ３０５では、副制御部４００のデバイスドライバ、又は扉・液晶画面制御部４９０に制御データを出力する。この結果、副制御部４００のデバイス（例えば、スピーカ、ランプなど）、扉装置１６３、又は液晶表示装置１５７を介した演出処理が実行される。なお、ステップＳ３０５の処理終了後はステップＳ３０１に戻る。
【０１１５】
以上、述べたように本実施形態のスロットマシン１００によれば、本体１０１の背面に貫通孔１０３を設けて、貫通孔１０３を介して筐体の内部に設けられた機器に対する調節作業を行うことができるで、筐体の内部に設けられた機器に対する調節作業の作業性を向上させることができる。
【０１１６】
例えば、リールユニット２１０の位置調整作業の場合には、貫通孔１０３ａ及び１０３ｂからドライバーなどの器具Ｔ１を挿入し、挿入した器具Ｔ１によりリールユニット２１０の背面に取り付けられたリールユニット取付ステー２１３のネジ２１６を締め直すことができるので、リールユニット２１０を本体１０１から取り外すことなく、簡単にリールユニット２１０の位置調整作業を行うことができる。
【０１１７】
また、ロック部材２４３を備えて不正解錠防止対策が施されている施錠装置２３０の解錠作業の場合には、貫通孔１０３ｃからドライバーなどの器具Ｔ２を挿入し、挿入した器具Ｔ２によりカム部材２３３を取り付けているネジ２３６を緩めて、カム部材２３３を取り外し、カム部材２３３と鉤部材２３５の連動関係を断ち切ってから、貫通孔１０３ｃから棒などの器具Ｔ３を挿入し、挿入した器具Ｔ３により鉤部材２３５の受け金具２０５への係合を解除することができるので、シリンダ錠２３２が変更されたりして鍵による解錠ができない場合であっても、簡単に施錠装置２３０の解錠作業を行うことができる。
【０１１８】
なお、従来の遊技台においても、筐体内の機器から発生した熱を外部に放出するため、通気孔を遊技台の背面に設けているが、筐体内に設置された機器に対する調節作業を行うために形成された貫通孔１０３は、このような通気孔とは全く異なる機能を有する孔である。
【０１１９】
また、本実施形態においては、背面からの調節作業の対象となる機器としては、リールユニット２１０を例に挙げ説明したが、背面からの調節作業（調整作業、取り付け作業）の対象機器はこれに限定されず、本体１０１内に設置される他の遊技に関連する機器（例えば、メダル払出装置、電源基板、主基板収納ケース及び副基板収納ケース等）であってもよいのは勿論である。
【０１２０】
また、本実施形態においては、貫通孔１０３を本体１０１の背面に設けたが、背面以外の面にもうけてもよい。例えば、貫通孔１０３を側面や上面に設けてもよい。この場合には、貫通孔１０３は、調節作業の対象となる部位から略垂直の方向にはないので、Ｌ字状の器具を使用して作業を行うことが望ましい。
【０１２１】
さらには、本実施形態においては、スロットマシンに対して本発明を適用したが、本発明はこれに限定されるものではなく、パチンコなど他の遊技台にも適用可能である。
【０１２２】
以上、本発明の実施の形態について説明してきたが、本発明は、上述した実施の形態に限られるものではなく、本発明の要旨を逸脱しない範囲において、本発明の実施の形態に対して種々の変形や変更を施すことができ、そのような変形や変更を伴うものもまた、本発明の技術的範囲に含まれるものである。また、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【図面の簡単な説明】
【０１２３】
【図１】本発明の一実施形態に係るスロットマシンの外観を示す斜視図である。
【図２】本発明の一実施形態に係るスロットマシンの前面扉を開放した状態の斜視図である。
【図３】本発明の一実施形態に係るスロットマシンの前面扉を取り外した状態の正面図である。
【図４】本発明の一実施形態に係るスロットマシンのリールユニットを背面側から見た外観斜視図である。図５は、背面着脱機構の要部斜視図である。
【図５】本発明の一実施形態に係るスロットマシンのリールユニットにおける背面着脱機構の要部斜視図である。
【図６】本発明の一実施形態に係るスロットマシンを右側面から見たときの透視図である。
【図７】本発明の一実施形態に係るスロットマシンのリールユニットの位置を調整する作業の流れを示す概略図である。
【図８】本発明の一実施形態に係るスロットマシンの施錠装置を背面方向から見た外観斜視図である。
【図９】図８（ｂ）に示す施錠装置のカム部材近傍を拡大した図である。
【図１０】本発明の一実施形態に係るスロットマシンのドアキー孔に鍵を差し込んで右周りに回動したときの施錠装置のカム部材及び鉤部材の動作を説明する図である。
【図１１】本発明の一実施形態に係るスロットマシンのドアキー孔に鍵を差し込んで左周りに回動したときの施錠装置のカム部材の動作を説明する図である。
【図１２】本発明の一実施形態に係るスロットマシンの施錠装置を背面から解錠する作業の流れを示す概略図である。
【図１３】本発明の一実施形態に係るスロットマシンの主制御部を示すブロック図である。
【図１４】本発明の一実施形態に係るスロットマシンの副制御部を示すブロック図である。
【図１５】本発明の一実施形態に係るスロットマシンの主制御部のメイン処理の流れを示すフローチャートである。
【図１６】本発明の一実施形態に係るスロットマシンの副制御部の割り込み処理及びメイン処理の流れを示すフローチャートである。
【図１】
0004982420.tif 000002
【図２】
0004982420.tif 000003
【図３】
0004982420.tif 000004
【図４】
0004982420.tif 000005
【図５】
0004982420.tif 000006
【図６】
0004982420.tif 000007
【図７】
0004982420.tif 000008
【図８】
0004982420.tif 000009
【図９】
0004982420.tif 000010
【図１０】
0004982420.tif 000011
【図１１】
0004982420.tif 000012
【図１２】
0004982420.tif 000013
【図１３】
0004982420.tif 000014
【図１４】
0004982420.tif 000015
【図１５】
0004982420.tif 000016
【図１６】
0004982420.tif 000017